(57)【要約】【課題】放送開始以降ビットレートの変更ができないので、常に同じビットレートでの送信となってしまい、ネットワークが混雑してきた時にパケットロスを生じ、スムーズな動画再生ができなくなる。【解決手段】図１はストリーミング送信の映像表示においてパケットロスが生じた時にコーデックやエンコーディングのビットレートを動的に変更することができる構成を備えたものである。さらにＣＭ放送送信サーバからのデータを受信し、放送経路が込み合った時にＣＭデータを再生することができる構成を備えたもので、ストリーミングサーバーから送信されているテストパケット送信結果により最も高いビットレートが得られるミラーサーバーなど別のストリーミング放送送信装置を探索することができる構成を備えたものである。【選択図】図１
2007295228.tif 000002
【特許請求の範囲】
【請求項１】
放送受信内容のパケットロスに基いて送信ビットレートを要求するストリーミング放送受信装置と、
ストリーミング放送受信装置の指示に基いて送信ビットレートを変更するストリーミング放送送信装置と、
を有するストリーミング放送送受信システム。
【請求項２】
前記ストリーミング放送受信装置は、同一放送内容を送信する複数のストリーミング放送送信装置の中で放送受信内容のパケットロスに基いて要求する送信ビットレートが最も高いストリーミング放送送信装置を探索する請求項１記載のストリーミング放送送受信システム。
【発明の詳細な説明】
【技術分野】
【０００１】
本発明は、放送・通信の分野におけるストリーミング放送送受信システムに関するものである。
【背景技術】
【０００２】
近年、MPEGをはじめとする動画データをネットワークを通じて送信し、そのビットレートを変更し、表示することができるテレビジョンストリーミング放送受信装置・セットトップボックス、ＰＣ端末などにおいてその動画鑑賞方法と使い勝手が工夫され、ネットワーク経由の映像データの表示の仕方とネット放送の視聴し易さが重要視されている。
【０００３】
以下、図面を参照しながら、上述した従来のストリーミング放送受信装置の一例について説明を行う。図３は、特許文献１で提案されている従来のストリーミング放送受信装置の構成を示すブロック図である。図３において１０１はストリーミング放送送信装置、１０２はストリーミング放送受信装置（ＳＴＢ・ネットＴＶ・ＰＣ）、１０５はネットワーク、１０７はストリーミング放送送信装置に接続されたＴＶチューナである。
【０００４】
以上のように構成されたストリーミング放送送受信システムについて、以下その動作について説明する。従来の動作は、放送開始前にテストパケットデータを送出し、放送開始以降は固定のストリーミング放送送信装置からの放送を受信しているだけである。
【特許文献１】特開２００５−１６７５１５号公報
【発明の開示】
【発明が解決しようとする課題】
【０００５】
しかしながら上記の従来の構成では、放送開始以降ビットレートの変更ができないので、常に同じビットレートでの送信となってしまい、ネットワークが混雑してきた時にパケットロスを生じ、スムーズな動画再生ができなくなるという問題点を有していた。
【０００６】
本発明は上記従来の問題点を解決するもので、ネットワークの混雑に対応し、スムーズにストリーミングデータの再生を行なうことができるストリーミング放送送受信システムを提供することを目的とする。
【課題を解決するための手段】
【０００７】
この目的を達成するために本発明のストリーミング放送送受信システムは、
放送受信内容のパケットロスに基いて最適な送信ビットレート情報を元にビットレート変更を要求するストリーミング放送受信装置と、ストリーミング放送受信装置の指示に基いて送信ビットレートを変更するストリーミング放送送信装置を備えた構成を有している。
【０００８】
また、前記ストリーミング放送受信装置は、同一放送内容を送信する複数のストリーミング放送送信装置の中で放送受信内容のパケットロスに基いて要求する送信ビットレートが最も高いストリーミング放送送信装置を探索するとを備えた構成を有している。
【発明の効果】
【０００９】
本発明のストリーミング放送送受信システムは、ネットワークの混雑に対応し、スムーズにストリーミングデータの再生を行なうことができるという優れた効果を有する。
【発明を実施するための最良の形態】
【００１０】
（実施の形態１）
図１は本発明の実施の形態１におけるストリーミング放送受信装置の構成を示すブロック図である。ストリーミング放送はストリーミング放送送信装置１０１を備えている。また、当該ストリーミング放送にはストリーミング放送受信装置（ＳＴＢ）1０２を有している。ストリーミング放送受信装置１０２は、ストリーミング放送などをテレビ受信機に読み込むことができる入力デバイスである。また、ストリーミング放送受信装置（ＰＣ）１０３はストリーミング放送受信装置（ＳＴＢ）１０２と同様にストリーミング放送に対応し、動画データなどを表示できるデバイスである。ストリーミング放送受信装置（ＳＴＢ内蔵テレビ）１０４はテレビ受信機においてのストリーミング放送に対応している。ストリーミング放送受信装置１０２は放送受信内容のパケットロスに基いて送信ビットレートをストリーミング放送送信装置１０１に要求する。ストリーミング放送送信装置１０１はストリーミング放送受信装置１０２の指示に基いて送信ビットレートを変更する。ネットワーク１０５はストリーミング放送送信装置１０１の制御によりユーザーの使用度合いに応じて混雑したり、空いたりする。
【００１１】
以上のように実施の形態１によれば、スムーズにストリーミング送信を受信することができる。
【００１２】
なお、実施の形態１において放送経路はネットワークとしたが、双方向ケーブルテレビ放送、衛星放送、地上波放送その他でもよい。
（実施の形態２）
図２は本発明の実施の形態２におけるストリーミング放送受信装置の構成を示すブロック図を示すものである。ストリーミング放送はストリーミング放送送信装置１０１を備えている。また、当該ストリーミング放送にはストリーミング放送受信装置（ＳＴＢ）1０２を有している。ストリーミング放送受信装置１０２は、ストリーミング放送などをテレビジョンストリーミング放送受信装置に読み込むことができる入力デバイスである。また、ストリーミング放送受信装置（ＰＣ）１０３はストリーミング放送受信装置（ＳＴＢ）と同様ストリーミング放送に対応し、動画データなどを表示できるデバイスである。ストリーミング放送受信装置（ＳＴＢ内蔵テレビ）１０４はテレビストリーミング放送受信装置においてのストリーミング放送に対応している。ネットワーク１０５はストリーミング放送送信装置１０１の制御によりユーザーの使用度合いに応じて混雑したり、空いたりする。さらにミラーストリーミング放送送信装置１０６を備えている。
【００１３】
以上のように構成されたトリーミング放送受信装置について、以下図２を用いてその動作を説明する。まず図1はストリーミング放送の概念図を示すものであって、ストリーミング放送をネットワークの混雑度合いに応じてビットレートを変更する。この間ＣＭデータを表示し、ミラーサーバーとの接続を確立する。
【００１４】
以上のように実施の形態２によれば、ＣＭ中にストリーミング送信サーバを切り替えることができる。
【００１５】
なお、実施の形態２において放送経路はネットワークとしたが、双方向ケーブルテレビ放送、衛星放送、地上波放送その他でもよい。ＣＭデータはストリーミング動画としたがストリーミング放送受信装置に予め蓄積された動画や静止画でもよい。
【産業上の利用可能性】
【００１６】
本発明のストリーミング放送受信装置は、ネットワークの混雑度合いに応じてビットレートを変化させることによりストリーミング放送を途切れたりせず見やすくするという効果を有し、ストリーミング放送ストリーミング放送受信装置、ストリーミング放送送信装置などネットワーク放送対応機器等として有用である。
【図面の簡単な説明】
【００１７】
【図１】本発明の実施の形態１におけるストリーミング放送受信装置の構成を示すブロック図
【図２】本発明の実施の形態２におけるストリーミング放送受信装置の構成を示すブロック図
【図３】従来のストリーミング放送受信装置の構成を示すブロック図
【符号の説明】
【００１８】
１０１    ストリーミング放送送信装置
１０２    ストリーミング放送受信装置（ＳＴＢ）
１０３    ストリーミング放送受信装置（ＰＣ）
１０４    ストリーミング放送受信装置（ＳＴＢ内蔵ＴＶ）
１０５    ネットワーク
１０６    ミラーストリーミング放送送信装置
１０７    ＴＶチューナ
【図１】
2007295228.tif 000003
【図２】
2007295228.tif 000004
【図３】
2007295228.tif 000005